(57)【要約】【課題】原稿の文字の向きに応じてタブ文字の向きを適切に設定することができる印刷制御プログラム及び印刷制御方法の提供。【解決手段】タブ紙を挿入する機能を備えた画像形成装置に原稿の印刷を指示する装置で動作する印刷制御プログラムであって、前記装置を、少なくとも、前記タブ紙の長辺に配置されるインデックス部に印刷されるタブ文字の向きを設定可能な第１の設定画面と、前記原稿がポートレートであるかランドスケープであるかを設定可能な第２の設定画面と、を表示部に表示させる表示制御部、前記タブ文字の向きが、前記ポートレートの原稿の文字を基準にして時計回りに９０度回転させた向きとなる設定において、前記ランドスケープの原稿の印刷が指示された場合は、前記タブ文字の向きを、前記ランドスケープの原稿の文字と一致する向きに設定する印刷方向制御部、として機能させる。【選択図】図８
2012103934.tif 000002
【特許請求の範囲】
【請求項１】
タブ紙を挿入する機能を備えた画像形成装置に原稿の印刷を指示する装置で動作する印刷制御プログラムであって、
前記装置を、
少なくとも、前記タブ紙の長辺に配置されるインデックス部に印刷されるタブ文字の向きを設定可能な第１の設定画面と、前記原稿がポートレートであるかランドスケープであるかを設定可能な第２の設定画面と、を表示部に表示させる表示制御部、
前記タブ文字の向きが、前記ポートレートの原稿の文字を基準にして時計回りに９０度回転させた向きとなる設定において、前記ランドスケープの原稿の印刷が指示された場合は、前記タブ文字の向きを、前記ランドスケープの原稿の文字と一致する向きに設定する印刷方向制御部、として機能させる、
ことを特徴とする印刷制御プログラム。
【請求項２】
原稿にタブ紙を挿入して印刷する機能を備えた画像形成装置に印刷を指示する装置で動作する印刷制御プログラムであって、
前記装置を、
少なくとも、前記タブ紙の長辺に配置されるインデックス部に印刷されるタブ文字の向きを設定可能な第１の設定画面と、前記原稿がポートレートであるかランドスケープであるかを設定可能な第２の設定画面と、を表示部に表示させる表示制御部、
前記タブ文字の向きが、前記ランドスケープの原稿の文字と一致する向きとなる設定において、前記ポートレートの原稿の印刷が指示された場合は、前記タブ文字の向きを、前記ポートレートの原稿の文字を基準にして時計回りに９０度回転させた向きに設定する印刷方向制御部、として機能させる、
ことを特徴とする印刷制御プログラム。
【請求項３】
前記表示制御部は、前記第２の設定画面で前記原稿が前記ポートレート若しくは前記ランドスケープに設定された後に前記第１の設定画面を表示させる際に、前記タブ文字の向きの設定を、前記印刷方向制御部が設定した向きにする、ことを特徴とする請求項１又は２に記載の印刷制御プログラム。
【請求項４】
前記表示制御部は、前記印刷方向制御部により前記タブ文字の向きが設定される前に、前記タブ文字の向きを設定してよいかをユーザに確認するための画面を前記表示部に表示させる、ことを特徴とする請求項１乃至３のいずれか一に記載の印刷制御プログラム。
【請求項５】
前記表示制御部は、前記タブ文字の向きを確認するための前記インデックス部のプレビュー画面を前記表示部に表示させる際に、前記表示部に対して前記原稿の文字が同じ向きとなるように、前記プレビュー画面を回転させる、ことを特徴とする請求項１乃至４のいずれか一に記載の印刷制御プログラム。
【請求項６】
タブ紙を挿入する機能を備えた画像形成装置に原稿の印刷を指示する装置における印刷制御方法であって、
第１の設定画面で、前記タブ紙の長辺に配置されるインデックス部に印刷されるタブ文字の向きを設定する第１ステップと、
第２の設定画面で、前記原稿をポートレート若しくはランドスケープに設定する第２ステップと、
前記タブ文字の向きが、前記ポートレートの原稿の文字を基準にして時計回りに９０度回転させた向きとなる設定において、前記ランドスケープの原稿の印刷が指示された場合は、前記タブ文字の向きを、前記ランドスケープの原稿の文字と一致する向きに設定する第３ステップと、を実行する、
ことを特徴とする印刷制御方法。
【請求項７】
タブ紙を挿入する機能を備えた画像形成装置に原稿の印刷を指示する装置における印刷制御方法であって、
第１の設定画面で、前記タブ紙の長辺に配置されるインデックス部に印刷されるタブ文字の向きを設定する第１ステップと、
第２の設定画面で、前記原稿をポートレート若しくはランドスケープに設定する第２ステップと、
前記タブ文字の向きが、前記ランドスケープの原稿の文字と一致する向きとなる設定において、前記ポートレートの原稿の印刷が指示された場合は、前記タブ文字の向きを、前記ポートレートの原稿の文字を基準にして時計回りに９０度回転させた向きに設定する第３ステップと、を実行する、
ことを特徴とする印刷制御方法。
【請求項８】
前記第２の設定画面で、前記原稿が前記ポートレート若しくは前記ランドスケープに設定された後、再度、前記第１の設定画面を表示部に表示する際に、前記タブ文字の向きの設定を、前記第３ステップで設定した向きにする、ことを特徴とする請求項６又は７に記載の印刷制御方法。
【請求項９】
前記第３ステップで、前記タブ文字の向きを設定する前に、前記タブ文字の向きを変更してよいかをユーザに確認するための画面を表示部に表示する、ことを特徴とする請求項６乃至８のいずれか一に記載の印刷制御方法。
【請求項１０】
前記タブ文字の向きを確認するための前記インデックス部のプレビュー画面を表示部に表示する際に、前記表示部に対して前記原稿の文字が同じ向きとなるように、前記プレビュー画面を回転させる、ことを特徴とする請求項６乃至９のいずれか一に記載の印刷制御方法。
【発明の詳細な説明】
【技術分野】
【０００１】
本発明は、印刷制御プログラム及び印刷制御方法に関し、特に、タブ紙挿入機能を備えた画像形成装置に印刷を指示する装置で動作する印刷制御プログラム及び印刷制御方法に関する。
【背景技術】
【０００２】
プリンタや複合機（ＭＦＰ：Multi Function Peripheral）などの印刷装置（以下、画像形成装置と呼ぶ。）が普及している。この画像形成装置には、原稿の区切りを見やすくするためにタブ紙を挿入する機能を備えたものもあり、タブ紙の耳の部分（以下、インデックス部と呼ぶ。）には、文字を印刷することができるようになっている。
【０００３】
このようなタブ紙挿入機能に関して、例えば、下記特許文献１には、突出状のタブ山を有するタブ紙を給紙し印刷可能な画像形成装置において、前記タブ紙に印刷する画像を所定角度回転させる機能を有する画像処理手段を備え、利用者が所望する前記タブ紙上での画像の回転角度に基づき、前記画像処理手段は、前記タブ紙の搬送方向を基準として前記タブ紙上で前記画像を必要な角度分回転させる構成が開示されている。
【先行技術文献】
【特許文献】
【０００４】
【特許文献１】特開２００４−５８５０８号公報
【発明の概要】
【発明が解決しようとする課題】
【０００５】
ここで、原稿の向きは、用紙を縦置きにしたときに正しく文字が読める向き（以下、ポートレートと呼ぶ。）と、用紙を横置きにしたときに正しく文字が読める向き（以下、ランドスケープと呼ぶ。）と、がある。また、タブ紙のインデックス部は、通常、用紙の長辺側に配置され、インデックス部に印刷する文字（以下、タブ文字と呼ぶ。）は、ポートレートでは横向き（原稿の文字の向きを基準にして時計回りに９０度回転した方向）、ランドスケープでは原稿の文字と同じ向きに印刷されるのが慣習となっている。
【０００６】
しかしながら、例えば、ポートレートの初期設定でランドスケープ原稿を印刷した場合、図１１（ａ）に示すように、原稿の文字の向きとタブ文字の向きとが逆になってしまい、見栄えが著しく悪化する。特に、ランドスケープ原稿の上方向で綴じ留めを行った場合は、タブ文字が読みにくくなってしまう。同様に、ランドスケープの初期設定でポートレート原稿を印刷した場合、図１１（ｂ）に示すように、タブ文字の向きが通常と逆になってしまい、見栄えが著しく悪化する。そのため、ユーザは原稿の向きを変更する場合は、タブ文字の印刷方向を設定し直さなければならず、利便性が悪いと言う問題があった。
【０００７】
本発明は、上記問題点に鑑みてなされたものであって、その主たる目的は、原稿の文字の向きに応じてタブ文字の向きを適切に設定することができる印刷制御プログラム及び印刷制御方法を提供することにある。
【課題を解決するための手段】
【０００８】
上記目的を達成するため、本発明は、タブ紙を挿入する機能を備えた画像形成装置に原稿の印刷を指示する装置で動作する印刷制御プログラムであって、前記装置を、少なくとも、前記タブ紙の長辺に配置されるインデックス部に印刷されるタブ文字の向きを設定可能な第１の設定画面と、前記原稿がポートレートであるかランドスケープであるかを設定可能な第２の設定画面と、を表示部に表示させる表示制御部、前記タブ文字の向きが、前記ポートレートの原稿の文字を基準にして時計回りに９０度回転させた向きとなる設定において、前記ランドスケープの原稿の印刷が指示された場合は、前記タブ文字の向きを、前記ランドスケープの原稿の文字と一致する向きに設定する印刷方向制御部、として機能させるものである。
【０００９】
また、本発明は、タブ紙を挿入する機能を備えた画像形成装置に原稿の印刷を指示する装置で動作する印刷制御プログラムであって、前記装置を、少なくとも、前記タブ紙の長辺に配置されるインデックス部に印刷されるタブ文字の向きを設定可能な第１の設定画面と、前記原稿がポートレートであるかランドスケープであるかを設定可能な第２の設定画面と、を表示部に表示させる表示制御部、前記タブ文字の向きが、前記ランドスケープの原稿の文字と一致する向きとなる設定において、前記ポートレートの原稿の印刷が指示された場合は、前記タブ文字の向きを、前記ポートレートの原稿の文字を基準にして時計回りに９０度回転させた向きに設定する印刷方向制御部、として機能させるものである。
【００１０】
また、本発明は、タブ紙を挿入する機能を備えた画像形成装置に原稿の印刷を指示する装置における印刷制御方法であって、第１の設定画面で、前記タブ紙の長辺に配置されるインデックス部に印刷されるタブ文字の向きを設定する第１ステップと、第２の設定画面で、前記原稿をポートレート若しくはランドスケープに設定する第２ステップと、前記タブ文字の向きが、前記ポートレートの原稿の文字を基準にして時計回りに９０度回転させた向きとなる設定において、前記ランドスケープの原稿の印刷が指示された場合は、前記タブ文字の向きを、前記ランドスケープの原稿の文字と一致する向きに設定する第３ステップと、を実行するものである。
【００１１】
また、本発明は、タブ紙を挿入する機能を備えた画像形成装置に原稿の印刷を指示する装置における印刷制御方法であって、第１の設定画面で、前記タブ紙の長辺に配置されるインデックス部に印刷されるタブ文字の向きを設定する第１ステップと、第２の設定画面で、前記原稿をポートレート若しくはランドスケープに設定する第２ステップと、前記タブ文字の向きが、前記ランドスケープの原稿の文字と一致する向きとなる設定において、前記ポートレートの原稿の印刷が指示された場合は、前記タブ文字の向きを、前記ポートレートの原稿の文字を基準にして時計回りに９０度回転させた向きに設定する第３ステップと、を実行するものである。
【発明の効果】
【００１２】
本発明の印刷制御プログラム及び印刷制御方法によれば、原稿の文字の向きに応じてタブ文字の向きを適切に設定することができる。
【００１３】
その理由は、画像形成装置に印刷を指示する装置で動作するプリンタドライバなどの印刷制御プログラムは、タブ紙を挿入して印刷する場合に、原稿の向きが指定されると、タブ紙に関する初期設定にかかわらず、その原稿の向きに基づいてインデックス部に印刷するタブ文字の向きを自動的に設定する制御を行うからである。
【図面の簡単な説明】
【００１４】
【図１】本発明の一実施例に係る印刷システムの構成を模式的に示す図である。
【図２】本発明の一実施例に係る画像形成装置のプリンタ部の構成を模式的に示す図である。
【図３】本発明の一実施例に係るクライアントに表示される画面（見出し挿入画面）の構成例を示す図である。
【図４】本発明の一実施例に係るクライアントに表示される画面（見出し設定画面）の構成例を示す図である。
【図５】本発明の一実施例に係るクライアントに表示される画面（基本設定画面）の構成例を示す図である。
【図６】本発明の一実施例に係るタブ文字の印刷方向の設定手順を示すフローチャート図である。
【図７】本発明の一実施例に係るクライアントに表示される画面（確認画面）の構成例を示す図である。
【図８】本発明の一実施例に係るタブ文字の印刷方向を模式的に示す図である。
【図９】ランドスケープ原稿で右綴じ若しくは１８０度回転する場合のタブ文字の印刷方向を示す図である。
【図１０】本発明の一実施例に係るクライアントに表示される画面（プレビュー画面）の構成例を示す図である。
【図１１】従来のタブ文字の印刷方向を模式的に示す図である。
【発明を実施するための形態】
【００１５】
背景技術で示したように、原稿の向きにはポートレートとランドスケープとがあり、タブ紙のインデックス部に配置されるタブ文字は、ポートレートでは横方向（原稿の文字の向きを基準にして時計回りに９０度回転した方向）、ランドスケープでは横反転方向（原稿の文字と同じ方向）に印刷されるのが慣習となっている。
【００１６】
そのため、ポートレートに合わせてタブ文字の向きが初期設定されている状態でランドスケープの原稿を印刷すると、原稿の文字の向きとタブ文字の向きとが逆になってしまい、見栄えが著しく悪化する。同様に、ランドスケープに合わせてタブ文字の向きが初期設定されている状態でポートレートの原稿を印刷すると、タブ文字の向きが通常と逆になってしまい、やはり見栄えが著しく悪化する。
【００１７】
そこで、本発明の一実施の形態では、プリンタドライバ上で、タブ紙の挿入やタブ紙のインデックス部に配置するタブ文字を設定して印刷を指示する際に、プリンタドライバは、原稿の向きが設定された場合には、タブ紙に関する初期設定の内容にかかわらず、原稿の向きに基づいてタブ文字の向きを自動的に設定するようにする。すなわち、タブ紙の設定画面でタブ文字の印刷方向がどのように設定されていても、原稿の設定画面で原稿の向き（ポートレート／ランドスケープ）が設定されたら、原稿の向きに基づいて設定されたタブ文字の印刷方向を優先して設定を変更するようにする。また、設定の変更をユーザに確認する画面を表示したり、インデックス部のプレビュー画面を表示したりする。
【００１８】
これにより、原稿の向きがランドスケープの場合に原稿の文字とタブ文字の向きが逆になったり、原稿の向きがポートレートの場合にタブ文字の向きが通常と逆になるなど、ユーザが意図しない画像が出力されることを未然に防止することができる。また、原稿の向きを変更する際にタブ文字の向きを設定し直す必要がなくなるため、ユーザの利便性を向上させることができる。
【実施例】
【００１９】
上記した本発明の実施の形態についてさらに詳細に説明すべく、本発明の一実施例に係る印刷制御プログラム及び印刷制御方法について、図１乃至図１０を参照して説明する。図１は、本実施例の印刷システムの構成を模式的に示す図であり、図２は、画像形成装置のプリンタ部の構成を模式的に示す図である。また、図３乃至図５は、クライアントに表示されるプリンタドライバの設定画面の構成例を示す図であり、図６は、タブ文字の向きの設定手順を示すフローチャート図である。また、図７は、クライアントに表示される確認画面の構成例を示す図、図１０は、プレビュー画面の構成例を示す図であり、図８及び図９は、本実施例のタブ文字の向きを示す図である。
【００２０】
図１に示すように、本実施例の印刷システムは、イントラネット上に、通信ネットワークで接続可能なクライアント１０、プリンタコントローラ２０、プリンタ３０がそれぞれ配置される。なお、通信ネットワークの規格としてEthernet（登録商標）などを用いることができるが、プリンタコントローラ２０からプリンタ３０へのデータ転送はEthernet（登録商標）以外にもIEEE1394、Parallelなどを用いることも可能である。また、図１では、プリンタコントローラ２０をプリンタ３０とは別に設けているが、プリンタコントローラ２０はプリンタ３０に内包してもよい。以下、各装置について具体的に説明する。
【００２１】
［クライアント］
クライアント１０はパーソナルコンピュータなどのコンピュータ機器であり、制御部１１、ＯＳ（Operating System）１２、アプリケーション１３、プリンタドライバ１４、ネットワークＩ／Ｆ部１５、記憶部１６、表示部１７、操作部１８などを備える。
【００２２】
制御部１１はＣＰＵ（Central Processing Unit）及びＲＯＭ（Read Only Memory）やＲＡＭ（Random Access Memory）などのメモリからなり、クライアント１０全体の動作を制御する。ＯＳ１２はWindows（登録商標）やMacintosh（登録商標）などであり、クライアント１０でアプリケーション１３を動作可能にする。アプリケーション１３は原稿を作成するためのソフトウェアである。プリンタドライバ１４はアプリケーション１３で作成された原稿をプリンタコントローラ２０が読み取り可能な言語（ＰＣＬ（Printer Control Language）やPostScriptなどのＰＤＬ（Page Description Language））のデータに変換する。ネットワークＩ／Ｆ部１５はＮＩＣ（Network Interface Card）などからなり、クライアント１０を通信ネットワークに接続する。記憶部１６はメモリやＨＤＤ（Hard Disk Drive）などからなり、原稿のデータやＰＤＬのデータなどを記憶する。表示部１７はＬＣＤ（Liquid Crystal Display）などからなり、各種画面を表示する。操作部１８はマウスやキーボードなどからなり、タブ紙に関する設定や原稿に関する設定などの操作を可能にする。
【００２３】
また、プリンタドライバ１４は、印刷条件を設定するための各種画面（後述する見出し挿入画面や見出し設定画面、基本設定画面など）を表示部１７に表示させる機能を備え、更に、基本設定画面で原稿の向き（ポートレート若しくはランドスケープ）が設定された場合に、原稿の向きに応じてタブ紙のインデックス部に配置されるタブ文字の向きを設定する印刷方向制御部１４ａ、基本設定画面で原稿の向きが設定された後に見出し設定画面を表示する際に、タブ文字の向きを設定する欄に印刷方向制御部１４ａが設定した向きを表示したり、タブ文字の向きを変更する際に、設定の変更をユーザに確認するための確認画面を表示したり、タブ文字の印刷方向を分かりやすくするためにインデックス部を拡大したプレビュー画面を表示したりする表示制御部１４ｂとしても機能する。
【００２４】
［プリンタコントローラ］
プリンタコントローラ２０は、クライアント１０の指示に従ってプリンタ３０を制御する機器であり、制御部２１、ネットワークＩ／Ｆ部２２、ＲＩＰ部２３、記憶部２４、プリンタＩ／Ｆ部２５、アプリケーション部２６、必要に応じて、表示部２７及び操作部２８などを備える。
【００２５】
制御部２１はＣＰＵ及びＲＯＭやＲＡＭなどのメモリからなり、プリンタコントローラ２０全体の動作を制御する。ネットワークＩ／Ｆ部２２はＮＩＣなどからなり、プリンタコントローラ２０を通信ネットワークに接続する。ＲＩＰ部２３はＰＤＬで記述されたデータを翻訳しビットマップ形式のイメージデータに展開する。記憶部２４はメモリやＨＤＤなどからなり、ＰＤＬのデータやイメージデータなどを記憶する。プリンタＩ／Ｆ部２５はプリンタ３０にイメージデータの送信及び出力方法の指示を行う。アプリケーション部２６はＲＩＰ部２３により作成されたイメージデータの編集や仕上げ処理を行うためのジョブチケットを編集し、印刷のためのデータ制御を行う。表示部２７はＬＣＤなどからなり、各種画面を表示する。操作部２８はマウスやキーボードなどからなり各種設定操作を可能にする。
【００２６】
［プリンタ］
プリンタ３０は、プリンタコントローラ２０の指示に基づいて印刷を実行する画像形成装置であり、制御部３１、コントローラＩ／Ｆ部３２、パネル操作部３３、プリンタ部３４、記憶部３５などにより構成される。
【００２７】
制御部３１はＣＰＵ及びＲＯＭやＲＡＭなどのメモリからなり、プリンタ３０全体の動作を制御する。コントローラＩ／Ｆ部３２はＮＩＣなどからなり、プリンタコントローラ２０との通信を可能にする。パネル操作部３３は表示部上に透明電極が格子状に配置された感圧式の操作部（タッチパネル）を設けたものであり、プリンタ３０の各種操作を可能にする。プリンタ部３４は印刷指示に従い印刷を実行する。このプリンタ部３４は、図２に示すように、感光体３４ａ、帯電装置３４ｂ、露光装置３４ｃ、現像装置３４ｄ、転写装置３４ｅ、清掃装置３４ｆ、定着装置３４ｇなどを備える。記憶部３５はメモリやＨＤＤなどからなり、イメージデータなどを記憶する。
【００２８】
なお、本実施例では、クライアント１０のプリンタドライバ１４に、ソフトウェアとして印刷方向制御部１４ａ及び表示制御部１４ｂを設ける構成としているが、印刷方向制御部１４ａ及び表示制御部１４ｂはハードウェアとして構成してもよい。また、プリンタコントローラ２０のアプリケーション部２６に印刷方向制御部１４ａ及び表示制御部１４ｂを設け、ＰＤＬデータから原稿の向きを取得し、取得した原稿の向きに基づいてタブ文字の向きを自動的に設定するようにしてもよい。
【００２９】
また、本実施例では、ユーザが原稿の向きを設定する構成とするが、プリンタドライバ１４は、用紙の向きから原稿がポートレートかランドスケープかを判断することができることから、原稿の向きを自動的に認識して、その原稿の向きに基づいてタブ文字の向きを自動的に設定することも可能である。
【００３０】
以下、上記構成の印刷システムを用いた通常の印刷動作について説明する。
【００３１】
印刷を行うための原稿は、クライアント１０にインストールされたアプリケーション１３（例えば、WordやExcel）により作成される。この原稿はプリンタドライバ１４によりアプリケーションファイル形式のデータからＰＤＬファイル形式のデータに変換され、通信ネットワークを経由してプリンタコントローラ２０に送信される。その際、プリンタドライバ１４の設定画面によりプリンタ３０固有の後処理を行うための指示を設定する。
【００３２】
プリンタコントローラ２０はＰＤＬデータを受信し、ＰＤＬデータは到着順によりプリンタコントローラ２０内に配置され、ＲＩＰ部２３によりビットマップ形式のイメージデータに変換される。また、アプリケーション部２６はプリンタドライバ１４にて指示されたパンチ、ステープルなどの後処理の指示を解析し、得られた要求内容をプリンタ３０に送信する。
【００３３】
ここで、タブ紙を挿入する場合は、プリンタドライバ１４は印刷条件を設定する際に、図３に示すような見出し挿入画面４０を表示部１７に表示させる。そして、ユーザが見出し挿入画面４０の”ページ”欄に任意のページを入力すると、プリンタドライバ１４はＰＤＬ内にコマンド（例えば、PERPAGE=TRAY1・・・・タブ,１，１０）を付与する。
【００３４】
プリンタコントローラ２０は、このコマンドを認識すると、タブ紙をトレイ１から給紙して原稿の１ページと１０ページの前に挿入するようにプリンタ３０に指示を行う。プリンタ３０は指示された情報に基づき、指定されたページに対して指定されたトレイからタブ紙を給紙する。
【００３５】
また、タブ紙のインデックス部に任意の文字を印刷する場合は、ユーザが見出し挿入画面４０の“見出しの文字”欄にテキストを入力する、プリンタドライバ１４は“見出しの文字”欄に入力された文字を、PostScriptなどのページ記述言語に変換し、原稿のインデックス部の位置に対してイメージを追加する。
【００３６】
また、タブ文字に関して詳細な設定を行う場合は、プリンタドライバ１４は図４に示すような見出し設定画面４１を表示部１７に表示させる。この見出し設定画面４１には、見出し数、インデックス部の位置、フォント、行間隔、方向、縦位置、横位置などを設定する項目が設けられており、ユーザが各項目の設定を行うと、プリンタドライバ１４はPostScriptでイメージを作る際に、ユーザが設定した条件に基づいて文字の種別、配置する位置、さらには文字の向きを判断する。
【００３７】
このように、見出し挿入画面４０や見出し設定画面４１でタブ紙に関する設定を行うことにより、指定されたページに指定されたタブ文字が印刷されたタブ紙を挿入することができる。しかしながら、これらの画面で設定された内容は原稿の向きにかかわらず維持されるため、図１１に示すように、ポートレートの設定でランドスケープの原稿にタブ紙を挿入したり、ランドスケープの設定でポートレートにタブ紙を挿入したりする場合に、原稿の文字の向きとタブ文字の向きとが正しい関係にならない場合が生じ、見栄えが著しく悪化してしまう。
【００３８】
そこで、本実施例では、原稿サイズなどの基本機能を設定する画面で原稿の向きを設定した場合には、原稿の向きに基づいてタブ文字の向きを適切な方向に設定する。具体的には、プリンタドライバ１４は、図５に示すような基本設定画面４２を表示部１７に表示させる。この基本設定画面４２には、原稿サイズ、原稿の向き、給紙トレイ、パンチ、ステープルなどを設定する項目が設けられており、ユーザが”原稿の向き”を例えば“ランドスケープ”にすると、プリンタドライバ１４は、図４の見出し設定画面４１の“方向”欄の設定を“横反転”に自動的に変更する。また、再度、原稿の向きを“ポートレート”にした場合は、プリンタドライバ１４は、図４の見出し設定画面４１の“方向”欄の設定を“横”に自動的に変更する。
【００３９】
なお、ここでは、見出し挿入画面４０及び見出し設定画面４１でタブ紙に関する設定を行った後に、基本設定画面４２で原稿の向きを設定した時に、見出し設定画面４１の“方向”欄の設定を自動的に変更する場合について説明したが、これらの画面の表示順や遷移の方法は任意であり、基本設定画面４２で原稿の向きを設定した後に、見出し挿入画面４０及び見出し設定画面４１でタブ紙に関する設定を行ってもよい。その場合は、選択された原稿の向きに応じて設定したタブ文字の向きを、見出し設定画面４１の“方向”欄にデフォルトで表示したり、その設定を変更できないようにすることができる。
【００４０】
また、タブ文字の向きを変更する前に、図７に示すような、タブ文字の向きを変更してもよいか否かをユーザに確認する画面を表示してもよい。
【００４１】
上記プリンタドライバ１４の処理について、図６のフローチャート図を参照して具体的に説明する。
【００４２】
ユーザが所定の操作を行うと、プリンタドライバ１４は、表示部１７に図５に示す基本設定画面４２を表示させる（Ｓ１０１）。そして、ユーザが”原稿の向き”欄で原稿の向きを設定すると、プリンタドライバ１４は、原稿の向きの設定を受け付け、原稿の向きを認識する（Ｓ１０２）。
【００４３】
原稿の向きがポートレートの場合は、プリンタドライバ１４（印刷方向制御部１４ａ）は、タブ文字の向き（図４の見出し設定画面４１の“方向”欄）が横方向（原稿の文字の向きを基準にして時計回りに９０度回転させた方向）になっているかをチェックする（Ｓ１０４）。また、原稿の向きがランドスケープの場合は、プリンタドライバ１４（印刷方向制御部１４ａ）は、タブ文字の向きが横反転方向（原稿の文字の向きと同じ方向）になっているかをチェックする（Ｓ１０５）。
【００４４】
そして、原稿の向きがポートレートで、タブ文字の向きが横方向になっていない場合（Ｓ１０４のＮｏ）、若しくは、原稿の向きがランドスケープで、タブ文字の向きが横反転方向になっていない場合（Ｓ１０５のＮｏ）は、タブ文字の向きを変更するが、その際、プリンタドライバ１４（表示制御部１４ｂ）は、タブ文字の向きを変更してよいかを確認するための画面を表示部１７に表示させる（Ｓ１０６）。図７（ａ）は、タブ文字の向きを横方向から横反転方向に変更する場合に表示される確認画面４３の一例であり、図７（ｂ）は、タブ文字の向きを横反転方向から横方向に変更する場合に表示される確認画面４３の一例である。
【００４５】
そして、プリンタドライバ１４（印刷方向制御部１４ａ）は、この確認画面４３でユーザが選択したボタンを判別し（Ｓ１０７）、ユーザがＯＫボタンを押下した場合は、設定変更を行い（Ｓ１０８）、ユーザがキャンセルボタンを押下した場合は、設定変更は行わない。
【００４６】
図８は、タブ文字の向きがどのように変更されるかを示す図である。図８（ａ）に示すように、タブ文字の向きの初期設定が横方向（ポートレートに適した方向）であり、原稿の方向がランドスケープに設定された場合は、プリンタドライバ１４（印刷方向制御部１４ａ）は、タブ文字の向きを横方向から横反転方向に変更するため、原稿の文字の向きとタブ文字の向きを一致させることができる。また、図８（ｂ）に示すように、タブ文字の向きの初期設定が横反転方向（ランドスケープに適した方向）であり、原稿の方向がポートレートに設定された場合は、プリンタドライバ１４（印刷方向制御部１４ａ）は、タブ文字の向きを横反転方向から横方向に変更するため、原稿の文字の向きとタブ文字の向きの関係を通常と同じにすることができる。
【００４７】
以上、タブ紙のインデックス部が原稿の右側に配置される構成を前提にして説明したが、例えば、ランドスケープの原稿を右綴じする場合は、図９（ａ）に示すように、原稿の文字は横（時計回りに９０度回転させた方向）となり、タブ文字の適正な方向は、ポートレートとランドスケープとで同じになるため、タブ文字の向きは変更する必要はない。また、ランドスケープの原稿を１８０度回転させる場合も、図９（ｂ）に示すように、タブ文字の適正な方向は、ポートレートとランドスケープとで同じになるため、タブ文字の向きは変更する必要はない。このように、右綴じや画像１８０度回転機能など、原稿の画像の向きが変わるような機能を指定したときには、タブ文字の向きを変化させない制御（すなわち、原稿の向きに応じてタブ文字の向きを変更した後、特定の機能に応じてタブ文字の向きを更に変更して元に戻す制御）を行えばよい。
【００４８】
また、インデックス部のタブ文字の向きの設定は、複数のタブ紙が挿入されていた時には、全てのタブ紙に対して設定を反映することが望ましい。また、複数種類のタブ紙の挿入を行う場合についても、同様に、全ての種類のタブ紙に対して設定を反映することが望ましい。また、ポートレートとランドスケープの原稿が混在している方向混載原稿の場合は、タブ文字の向きが同一原稿内で混在することは好ましくないため、先頭ページの原稿の向きに合わせてタブ文字の向きを設定することが望ましい。
【００４９】
また、タブ文字の向きを変更する場合に、原稿の向きとタブ文字の向きを確認しやすくするために、インデックス部を拡大したプレビュー画面を表示するようにしてもよい。その際、図１０に示すように、原稿の向きに応じて（原稿の文字が表示部１７に対して同じ向きとなるように）プレビュー画面を回転させ、ポートレート画像に対しては図１０（ａ）のようにインデックス部を表示し、ランドスケープ画像に対しては図１０（ｂ）のようにインデックス部を表示すれば、原稿の向きに対するタブ文字の向きを確認しやすくすることができる。
【００５０】
なお、本発明は上記実施例に限定されるものではなく、本発明の趣旨を逸脱しない限りにおいて、その構成や制御は適宜変更可能である。
【００５１】
例えば、上記実施例では、原稿の向きがポートレートの場合に、タブ文字を横方向（原稿の文字の向きを基準にして時計回りに９０度回転させた方向）とし、ランドスケープの原稿を縦置きする場合に、原稿の文字を横反転方向としたが、ポートレートとランドスケープとでタブ文字の向きが逆になる任意の構成に対して同様に適用することができる。
【産業上の利用可能性】
【００５２】
本発明は、タブ紙挿入機能を備えた画像形成装置に印刷を指示する任意の装置で動作する印刷制御プログラム及び制御方法に利用可能である。
【符号の説明】
【００５３】
１０  クライアント
１１  制御部
１２  ＯＳ
１３  アプリケーション
１４  プリンタドライバ
１４ａ  印刷方向制御部
１４ｂ  表示制御部
１５  ネットワークＩ／Ｆ部
１６  記憶部
１７  表示部
１８  操作部
２０  プリンタコントローラ
２１  制御部
２２  ネットワークＩ／Ｆ部
２３  ＲＩＰ部
２４  記憶部
２５  プリンタＩ／Ｆ部
２６  アプリケーション部
２７  表示部
２８  操作部
３０  プリンタ
３１  制御部
３２  コントローラＩ／Ｆ部
３３  パネル操作部
３４  プリンタ部
３４ａ  感光体
３４ｂ  帯電装置
３４ｃ  露光装置
３４ｄ  現像装置
３４ｅ  転写装置
３４ｆ  清掃装置
３４ｇ  定着装置
３５  記憶部
４０  見出し挿入画面
４１  見出し設定画面
４２  基本設定画面
４３  確認画面
４４  プレビュー画面
【図１】
2012103934.tif 000003
【図２】
2012103934.tif 000004
【図３】
2012103934.tif 000005
【図４】
2012103934.tif 000006
【図５】
2012103934.tif 000007
【図６】
2012103934.tif 000008
【図７】
2012103934.tif 000009
【図８】
2012103934.tif 000010
【図９】
2012103934.tif 000011
【図１０】
2012103934.tif 000012
【図１１】
2012103934.tif 000013